(57)【要約】【課題】  いつでも手軽に指圧効果やマッサージ効果を得られるマッサージ機能付き湯たんぽ及び湯たんぽ用収納袋を提供する。【解決手段】  マッサージ機能付き湯たんぽ１０は、内部に温水を収容し、上面を湾曲に形成した容器本体１１と、容器本体１１の長手方向に所定の間隔を存して複数箇所設けられ、容器本体１１上面に突出する突起部材１４を備える。突起部材１４は容器本体１１上面に突出して設けられた弾性体（コイルバネ）１８と、この弾性体（コイルバネ）１８を覆う弾性部材（蛇腹カバー）１６と、この弾性部材（蛇腹カバー）１６の上面に設けられた永久磁石２０とから成り、弾性部材（蛇腹カバー）１６内部は容器本体１１内に連通する。【選択図】          図１
2005296378.tif 000002
【特許請求の範囲】
【請求項１】
内部に温水を収容し、上面を湾曲に形成した容器本体と、前記容器本体の長手方向に所定の間隔を存して複数箇所設けられ、前記容器本体上面に突出する突起部材を備え、
前記突起部材は前記容器本体上面に突出して設けられた弾性体と、該弾性体を覆う弾性部材と、この弾性部材の上面に設けられた永久磁石とから成り、前記弾性部材内部は前記容器本体内と連通していることを特徴とする請求項１のマッサージ機能付き湯たんぽ。
【請求項２】
前記容器本体表面を、弾性を有する被覆部材で覆ったことを特徴とする請求項１のマッサージ機能付き湯たんぽ。
【請求項３】
前記容器本体の上面に長手方向一端から他端まで延在する上帯状弾性体と、この上帯状弾性体と前記容器本体との間に設けられ、前記容器本体内に陥没されると共に両端に設けた回転具に渡って張架された環状の下帯状弾性体とを備え、
前記上下帯状弾性体を所定の間隔を存して平行に設けると共に、前記下帯状弾性体には前記上帯状弾性体を所定寸法押し上げる突状体を設け、該突状体は相互に対向する位置に設けたことを特徴とする請求項１又は請求項２のマッサージ機能付き湯たんぽ。
【請求項４】
前記容器本体を裏返しにした場合の当該容器本体の揺れを防止するためのスタンドを、長手方向両側に設けたことを特徴とする請求項１、請求項２又は請求項３のマッサージ機能付き湯たんぽ。
【請求項５】
前記湯たんぽを収納可能な収納袋を設け、該収納袋内に前記湯たんぽを収納した状態で、当該収納袋には前記容器本体の下面が接する箇所に電気ヒータを設けると共に、前記突起部材上面に着脱可能なバイブレータを設けたことを特徴とする請求項１、請求項２、請求項３又は請求項４の湯たんぽ用収納袋。
【発明の詳細な説明】
【技術分野】
【０００１】
本発明は、容器本体内に温水が入れられて身体の一部分を温めるための湯たんぽに関し、特に身体のツボを刺激し、且つ、長時間に渡って好適な温度を継続することができるマッサージ機能付き湯たんぽ及び湯たんぽ用収納袋に関するものである。
【背景技術】
【０００２】
従来より寒い時期の寝具の暖房として湯たんぽがあるが、一般的な湯たんぽは容器本体の給水口から温水を注入して使用するもので、容器本体内の温水が冷めると、中の水を出し、再び温水を容器本体の給水口から注入して使用するものである。このような湯たんぽで足元を温めて寒い時期でも快眠できるようにしていた。
【０００３】
しかし、一般的な湯たんぽは足元を温めて快眠できるものの、疲労回復には浴槽に入って身体を温めた方が効果的である。そこで、上部にお湯取り入れ口とお湯取り出し口、正面部分に突起状のふくらみを設けた中空容器を浴槽内にしずめ、背面に設けた吸盤で浴槽壁面に中空容器を固定し、お湯取り出し口に装着したホースの一方を浴槽の外へ出し、お湯取り入れ口へ装着したホースの一方をシャワーまたは湯沸かし器の蛇口へ取り付けてお湯を流す湯たんぽ式マッサージ具が考案されている（特許文献１参照）。
【０００４】
該湯たんぽ式マッサージ具を使用する場合は、浴槽へ入って腰を下ろしお湯を流したり止めたりして中空容器の温度を好適に保つ。そして、突起状のふくらみに背中を強く押し当てたり弱く押し当てたりして背中のツボを刺激することにより温かい浴槽内で身体を温めながら指圧効果やマッサージ効果などにより温まりながら疲労回復を行っていた。
【０００５】
【特許文献１】実開平６−７５４９３号公報
【発明の開示】
【発明が解決しようとする課題】
【０００６】
しかしながら、従来のマッサージ機能付き湯たんぽは、浴槽内へ入って腰を下ろし身体を温めながらお湯を流したり止めたりして中空容器の温度を好適に保った状態でなければ、指圧効果やマッサージ効果を得られないと言う問題があった、このため、いつでも手軽に指圧効果やマッサージ効果を得られるマッサージ機能付き湯たんぽの開発が望まれていた。
【０００７】
本発明は、係る従来技術の課題を解決するために成されたものであり、いつでも手軽に指圧効果やマッサージ効果を得られるマッサージ機能付き湯たんぽ及び湯たんぽ用収納袋を提供することを目的とする。
【課題を解決するための手段】
【０００８】
即ち、本発明のマッサージ機能付き湯たんぽは、内部に温水を収容し、上面を湾曲に形成した容器本体と、容器本体の長手方向に所定の間隔を存して複数箇所設けられ、容器本体上面に突出する突起部材を備え、突起部材は容器本体上面に突出して設けられた弾性体と、この弾性体を覆う弾性部材と、この弾性部材の上面に設けられた永久磁石とから成り、弾性部材内部は容器本体内と連通していることを特徴とする。
【０００９】
また、請求項２の発明のマッサージ機能付き湯たんぽは、上記に加えて、容器本体表面を、弾性を有する被覆部材で覆ったことを特徴とする。
【００１０】
また、請求項３の発明のマッサージ機能付き湯たんぽは、請求項１、又は、請求項２に加えて、容器本体の上面に長手方向一端から他端まで延在する上帯状弾性体と、この上帯状弾性体と容器本体との間に設けられ、容器本体内に陥没されると共に両端に設けた回転具に渡って張架された環状の下帯状弾性体とを備え、上下帯状弾性体を所定の間隔を存して平行に設けると共に、下帯状弾性体には上帯状弾性体を所定寸法押し上げる突状体を設け、この突状体は相互に対向する位置に設けたことを特徴とする。
【００１１】
また、請求項４の発明のマッサージ機能付き湯たんぽは、請求項１、請求項２又は請求項３に加えて、容器本体を裏返しにした場合の当該容器本体の揺れを防止するためのスタンドを、長手方向両側に設けたことを特徴とする。
【００１２】
更に、請求項５の発明の湯たんぽ用収納袋は、請求項１、請求項２、請求項３又は請求項４に加えて、湯たんぽを収納可能な収納袋を設け、この収納袋内に湯たんぽを収納した状態で、当該収納袋には容器本体の下面が接する箇所に電気ヒータを設けると共に、突起部材上面に着脱可能なバイブレータを設けたことを特徴とする。
【発明の効果】
【００１３】
以上詳述した如く本発明によれば、内部に温水を収容し、上面を湾曲に形成した容器本体と、容器本体の長手方向に所定の間隔を存して複数箇所設けられ、容器本体上面に突出する突起部材を備え、突起部材は容器本体上面に突出して設けられた弾性体と、この弾性体を覆う弾性部材と、この弾性部材の上面に設けられた永久磁石とから成り、弾性部材内部は容器本体内と連通しているので、容器本体内に収容した温水で永久磁石を温めることができる。これにより、例えば温められた永久磁石の押圧作用及び磁力線によって血行促進を行うことができるので、従来のように浴槽に入らなくても、寝ながらにして身体の疲労回復や健康回復、或いは、健康促進などを効果的に行うことができるようになる。従って、いつでも手軽に足裏や足首のマッサージ効果を得ることができるので、極めてマッサージ機能付き湯たんぽの実用効果大なるものである。
【００１４】
特に、容器本体の上面を湾曲に形成しているので、例えば容器本体を背中の下に入れて使用した際、身体に角が当っても痛くなるなどの不都合を防止することが可能になる。これにより、背筋を伸ばすことができ、大幅な健康促進を図ることができるようになる。
【００１５】
また、請求項２の発明によれば、上記に加えて、容器本体表面を、弾性を有する被覆部材で覆ったので、例えば容器本体を背中の下に入れて健康促進を図る場合に、容器本体に背中が接触した場合でも、背中が痛くなるなどの不都合を防止することが可能となる。これにより、マッサージ機能付き湯たんぽの使い勝手を大幅に向上させることができる。
【００１６】
また、請求項３の発明によれば、請求項１、又は、請求項２に加えて、容器本体の上面に長手方向一端から他端まで延在する上帯状弾性体と、この上帯状弾性体と容器本体との間に設けられ、容器本体内に陥没されると共に両端に設けた回転具に渡って張架された環状の下帯状弾性体とを備え、上下帯状弾性体を所定の間隔を存して平行に設けると共に、下帯状弾性体には上帯状弾性体を所定寸法押し上げる突状体を設け、この突状体は相互に対向する位置に設けたので、例えば両突状体を背骨の両側に位置させた状態で回転具を操作して下帯状弾性体を移動させれば、突状体を容器本体の一端から他端まで移動させることができる。これにより、上帯状弾性体の押し上げ箇所を肩胛骨近傍から腰近傍まで移動させることができるので、肩胛骨近傍から腰近傍までのマッサージを行うことが可能となる。これにより、寝ながら容器本体内に収容した温水によって身体を温めて血行を良好にしつつ、押圧作用により身体を刺激して身体の疲れやこりを回復することが可能になるので、身体の疲労回復や健康回復、或いは、健康促進などを効果的に行うことができるようになるものである。
【００１７】
また、請求項４の発明によれば、請求項１、請求項２又は請求項３に加えて、容器本体を裏返しにした場合の当該容器本体の揺れを防止するためのスタンドを、長手方向両側に設けたので、湯たんぽを裏返しにして両側のスタンドを立てれば容器本体の裏面を上にして水平に維持することができる。これにより、容器本体の上面が平らになり、安定して頭を載せることができるようになるので、容器本体内に例えば冷水を入れれば水枕としても使用することができ、発熱時などに頭を冷やすことができて便利である。従って、冬期に限らず一年中湯たんぽを使用することができ、湯たんぽの利便性を大幅に向上させることができるようになるものである。
【００１８】
また、請求項５の発明によれば、請求項１、請求項２、請求項３又は請求項４に加えて、湯たんぽを収納可能な収納袋を設け、この収納袋内に湯たんぽを収納した状態で、当該収納袋には容器本体の下面が接する箇所に電気ヒータを設けると共に、突起部材上面に着脱可能なバイブレータを設けたので、湯たんぽを収納袋に収納する以前に容器本体内に温水を入れれば、電気ヒータやバイブレータが濡れてしまうなどの不都合を防止することができる。従って、電気ヒータやバイブレータを設けた湯たんぽにて感電するなどの危険性を防止することができ、極めて安全に湯たんぽを使用することができる。
【００１９】
また、収納袋には容器本体の下面が接する箇所に電気ヒータを設けているので、容器本体内に入れた温水を所定の温度に加熱することができ、容器本体内に入れた温水が冷えてしまうのを防止することができる。これにより、容器本体内に入れた温水を長時間所定の温度で維持することが可能となる。従って、冬期などの寒い時期でも湯たんぽを使用中好適な温度を保つことができる。
【００２０】
特に、収納袋には突起部材上面に着脱可能なバイブレータを設けているので、容器本体内の温水によって身体を温めて血行を良好にしつつ、永久磁石の磁力線とバイブレータによって身体のマッサージを行うことができる。従って、容器本体内の温水とバイブレータの作用とによって、更に効果的に身体の健康促進を行うことができるようになるものである。
【発明を実施するための最良の形態】
【００２１】
本発明は、指圧効果やマッサージ効果を得るために浴槽内に入らなければならないという不都合を防止するため、寝ながら指圧効果やマッサージ効果を得られることを特徴とする。寝ながら身体を温めて健康回復やマッサージ効果を得るため、容器本体に突起部材を設け、湯たんぽ収納袋内に電気ヒータとバイブレータを設けることにより実現した。
【実施例１】
【００２２】
次に、図面に基づき本発明の実施の形態を詳述する。図１は本発明の一実施例を示す湯たんぽの斜視図、図２は本発明の湯たんぽに設けた突起部材の斜視図をそれぞれ示している。湯たんぽは、図１に示すように内部に温水を収容し、上面を湾曲に形成した容器本体１１と、この容器本体１１上面に配設された突起部材１４とから構成されている。
【００２３】
容器本体１１は、長さ約３００ｍｍ〜５００ｍｍ、幅約１５０ｍｍ〜２５０ｍｍ、周囲の厚さ約３０〜５０ｍｍ、中央の厚さ約５０ｍｍ〜８０ｍｍの大きさに形成されている。即ち、容器本体１１は周囲を湾曲に形成した縦長形状を呈している。該容器本体１１は、使用者の重量で容易に変形や破損をしない硬い金属、或いは、合成樹脂などにて構成されている。該容器本体１１の表面は、弾性を有する被覆部材１２にて覆われており、この被覆部材１２は発泡ウレタンゴム或いはスポンジなどにて構成し、腰や背骨の当たり心地をやわらげる効果がある。
【００２４】
また、突起部材１４は、図２に示すように容器本体１１上面に複数設けられると共に、容器本体１１上面に所定寸法突出して形成された取付部１１Ａに取り付けられている。取付部１１Ａは、容器本体１１に形成された所定の直径の孔周囲が所定寸法立ち上ったリング状に形成されている。
【００２５】
該突起部材１４は図３に示すように、取付部１１Ａに固定され、水に濡れても錆びないステンレスなどの金属にて構成されたコイルバネ１８（本発明の弾性体に相当）と、このコイルバネ１８を覆うシリコンゴムなどからなる伸縮自在な蛇腹カバー１６（本発明の弾性部材に相当）と、この蛇腹カバー１６の上面に接着剤にて固定されると共に所定厚さの円板形状の永久磁石２０とから構成されている。尚、永久磁石２０はフェライト製或いは鉄などの熱伝導効率の良い磁性材にて構成されている。
【００２６】
コイルバネ１８は、下側を大径、上側を小径の台形に形成され、蛇腹カバー１６もコイルバネ１８の形状に沿って台形に形成されている。そして、突起部材１４は図４に示すようにコイルバネ１８の下側が取付部１１Ａ内にカシメ或いは溶接などにて固定され、蛇腹カバー１６は取付部１１Ａの周囲に固定されて、取付部１１Ａの孔を密閉している。そして、永久磁石２０は蛇腹カバー１６上面にこれもまた接着剤にて固定されている。
【００２７】
また、突起部材１４は図１に示すように、容器本体１１上面に所定の間隔を存して複数個（実施例では６個）設けて押圧部１３を構成すると共に、この押圧部１３は６個の突起部材１４を直径約３０ｍｍ〜５０ｍｍの環状に設けている。そして、押圧部１３を容器本体１１の長手方向に所定の間隔で複数箇所（実施例では３箇所）設けている。３箇所設けた押圧部１３は、使用者が寝た状態で湯たんぽ１０の上に足が載せられたときに両足が載置可能な幅に設けている。即ち、容器本体１１に設けた両端の押圧部１３の幅は、使用者が寝て両足が自然に開いた状態で、両足裏、両足首がそれぞれ載置できる寸法にて配置されている。尚、押圧部１３は必要に応じて３箇所以上設けても差し支えない。
【００２８】
また、突起部材１４は永久磁石２０が容器本体１１方向へ押圧されるとコイルバネ１８は圧縮されて収縮するように構成されている。そして、図１矢印で示すように永久磁石２０が容器本体１１側に付勢されるとコイルバネ１８は収縮する。これにより、永久磁石２０の上面は図５に示すように取付部１１Ａの上端に略面一になる。また、押圧部１３上に身体が載置された状態で、永久磁石２０はコイルバネ１８の付勢力で身体を適度に押圧する。この押圧作用によって身体を刺激し疲れやこり、腰痛などを回復すると共に永久磁石２０の磁力線によって血行を良好にする。
【００２９】
そして、湯たんぽ１０を横にした状態で、首の下、首の付け根、両肩の下、腰の下、ふくらはぎの下、アキレス腱、足の裏などに入れ使用される。また、湯たんぽ１０を縦にした状態で、背骨の下などを刺激し、身体の疲れやこり、腰痛などを回復すると共に永久磁石２０の磁力線によって血行を良好にする。尚、マッサージ機能付き湯たんぽ１０を使用する際は、容器本体１１にタオルやバスタオルなどを巻いても差し支えない。
【００３０】
このように、マッサージ機能付き湯たんぽ１０は、内部に温水を収容し、上面を湾曲に形成した容器本体１１と、容器本体１１の長手方向に所定の間隔を存して複数箇所設けられ、容器本体１１上面に突出する突起部材１４を備え、突起部材１４は容器本体１１上面に突出して設けられたコイルバネ１８と、このコイルバネ１８を覆う蛇腹カバー１６と、この蛇腹カバー１６の上面に設けられた永久磁石２０とから構成している。
【００３１】
そして、蛇腹カバー１６内部は容器本体１１内と連通しているので、容器本体１１内に収容した温水或いは、温水で温められた容器本体１１内の空気で永久磁石２０を温めることができる。これにより、温められた永久磁石２０の押圧作用及び磁力線によって、押圧部１３が当接した部分の身体の血行促進を行うことができるようになるので、従来のように浴槽に入らなくても、寝ながらにして身体の疲労回復や健康回復、或いは、健康促進などを効果的に行うことができるようになる。従って、いつでも手軽に足裏や足首のマッサージ効果を得られるので、極めてマッサージ機能付き湯たんぽの実用効果大なるものである。尚、容器本体１１内の空気は温水で温められるので、容器本体１１内に入れた温水が少なく蛇腹カバー１６内が温水で満たされていない場合でも、永久磁石２０を温めることができる。
【００３２】
また、容器本体１１の上面を湾曲に形成しているので、例えば容器本体１１を背中の下に入れて使用した際、身体に角が当っても痛くなるなどの不都合を防止することが可能になる。これにより、背筋を伸ばすことができ、大幅な健康促進を図ることができるようになる。
【００３３】
また、容器本体１１表面を、弾性を有する被覆部材１２で覆っているので、容器本体１１を背中の下に入れて健康促進を図る場合に、容器本体１１に背中が接触しても、硬い容器本体１１が直接当たって背中が痛くなるなどの不都合を防止することが可能となる。これにより、マッサージ機能付き湯たんぽ１０の使い勝手を大幅に向上させることができる。
【実施例２】
【００３４】
次に、図６には本発明の他の実施例のマッサージ機能付き湯たんぽ１０を示している。該湯たんぽ１０は、前述の実施形態と略同じ構成を有している。以下、異なる部分について説明する。尚、前述の実施の形態と同じ部分にはこれと同じ符号を付し、説明を省略する。マッサージ機能付き湯たんぽ１０は、図６に示すように容器本体１１の上面に長手方向一端から他端まで延在すると共に帯状に形成された上帯状弾性体２２と下帯状弾性体２４を設けている。該上下帯状弾性体２２、２４は所定の間隔を存して平行に設けると共に、前記押圧部１３を環状に構成する６個の突起部材１４の間に設けている。尚、上帯状弾性体２２は帯状でなく丸棒状であっても差し支えない。
【００３５】
この場合、押圧部１３は突起部材１４を略正６角形に配置しており、この押圧部１３は対向して平行となる両側の２個の外突起部材１４Ａと、両側の外突起部材１４Ａとの間に設けられた２個の内突起部材１４Ｂとから構成される。そして、上下帯状弾性体２２、２４は両外突起部材１４Ａと内突起部材１４Ｂとの略中間に位置してそれぞれ平行に配設されている。
【００３６】
上帯状弾性体２２は、表面が滑らかなシリコンゴムなどにて所定の厚さの帯状に構成され、両端は容器本体１１に固定されている。また、下帯状弾性体２４は、図７に示すように上帯状弾性体２２と容器本体１１との間に設けられると共に環状に形成されている。該下帯状弾性体２４も所定の厚さの帯状に形成されると共に、上帯状弾性体２２同様シリコンゴムなどにて構成されている。尚、上下帯状弾性体２２、２４は約１０ｍｍ〜１５ｍｍの同一幅に形成されている。
【００３７】
容器本体１１には図８に示すように上面が所定寸法凹んだ凹陥溝１５が設けられており、この凹陥溝１５は容器本体１１の長手方向一端から他端まで上下帯状弾性体２４に対応して設けられている。そして、上下帯状弾性体２２、２４は凹陥溝１５内に陥没した状態で、上帯状弾性体２２の上面と容器本体１１の上面は面一に成っている。また、容器本体１１の長手方向両端には手動で回転することができる取っ手２８Ａが設けられた回転具２８が設けられており、環状の下帯状弾性体２４は両回転具２８間に渡って張架されると共に両回転具２８によって下帯状弾性体２４は回動するように構成されている。尚、回転具２８をモータによって回転するようにしても差し支えない。この場合、モータは後述するコントローラによって回転が制御される。
【００３８】
下帯状弾性体２４には、高さ約５ｍｍ〜１０ｍｍ、長さ約５ｍｍ〜１０ｍｍの側面半円形状の突状体２６が設けられており、この突状体２６は下帯状弾性体２４の全幅に渡って形成されている。即ち、容器本体１１の両外側に設けた両外突起部材１４Ａと、両外突起部材１４Ａの内側に設けた内突起部材１４Ｂとの間に、容器本体１１の長手方向一端から他端まで延在する上帯状弾性体２２を設けると共に、下帯状弾性体２４に上帯状弾性体２２を部分的に所定寸法押し上げ隆起させる突状体２６を設けている。両下帯状弾性体２４に設けた突状体２６は、相互に対向する位置に設けられている。
【００３９】
また、環状に形成した下帯状弾性体２４の対向面には凹凸に形成された平歯車（図示せず）が設けられており、この平歯車は前記手動の回転具２８周囲に設けられた図示しない歯車に噛み合う。そして、図８に示すように右側或いは左側の手動の回転具２８を時計方向、或いは、半時計方向に回転させると、下帯状弾性体２４に設けた突状体２６は、容器本体１１上面の長手方向一端から他端（図中矢印方向）まで往復移動させることができる。これにより、肩胛骨近傍から腰近傍まで両突状体２６が移動し、ツボを刺激する。
【００４０】
そして、環状に形成された下帯状弾性体２４の対向面に相互に形成した平歯車が噛み合わないように、滑板（図示せず）が介在させてある。係る、上帯状弾性体２２と容器本体１１との間に間に下帯状弾性体２４を設けているので、下帯状弾性体２４に設けた突状体２６を凹陥溝１５内に沿って移動させた場合に、上帯状弾性体２２が押し上げられ隆起するだけなので移動する突状体２６と衣服や肌が直接こすれてしまうのを防止することができる。これにより、突状体２６の移動で怪我をしたり、衣服が破れてしまうなどの不都合を防止している。
【００４１】
そして、前述同様湯たんぽ１０を縦にした状態で、突状体２６の移動で押し上げられ隆起する上帯状弾性体２２によって、背骨の下などを刺激して背骨を矯正する。これにより、寝ながら身体の疲労回復や健康回復、或いは、健康促進などを効果的に行うことができるようになる。尚、マッサージ機能付き湯たんぽ１０を使用する際は、容器本体１１にタオルやバスタオルなどを巻いても差し支えない。
【００４２】
このように、容器本体１１の上面に長手方向一端から他端まで延在する上帯状弾性体２２と、この上帯状弾性体２２と容器本体１１との間に設けられ、容器本体１１内に陥没させると共に両端に設けた回転具２８に渡って張架された環状の下帯状弾性体２４とを備え、上下帯状弾性体２２、２４を所定の間隔を存して平行に設けると共に、下帯状弾性体２４には上帯状弾性体２２を所定寸法押し上げ隆起させる突状体２６を設け、この突状体２６は相互に対向する位置に設けている。
【００４３】
そして、両突状体２６を背骨の両側に位置させてから手動の回転具２８を手で回転させる。手動の回転具２８を手で回転させると、下帯状弾性体２４に設けた突状体２６は肩胛骨近傍から腰近傍まで移動する。これにより、上帯状弾性体２２は動かずに突状体２６にて押し上げられ隆起した箇所が移動するので、肩胛骨近傍から腰近傍までの刺激やマッサージを行うことが可能となる。従って、寝ながら容器本体１１内に収容した温水によって身体を温めて血行を良好にしつつ、適度な押圧作用によって身体を刺激して身体の疲れやこりを回復することが可能となり、身体の健康回復や、健康促進を効果的に行うことができるようになる。
【実施例３】
【００４４】
次に、図９には本発明の他の実施例のマッサージ機能付き湯たんぽ１０を示している。該湯たんぽ１０は、前述の実施形態と略同じ構成を有している。以下、異なる部分について説明する。尚、前述の実施の形態と同じ部分にはこれと同じ符号を付し、説明を省略する。マッサージ機能付き湯たんぽ１０には図９に示すように容器本体１１にスタンド３０を設けている。スタンド３０は容器本体１１の長手方向両側に設けると共に容器本体１１の裏面側に設けている。該スタンド３０はコ字状の金属棒にて構成されており、このスタンド３０の両端部は容器本体１１に設けられた係支部３２に回動自在に係合される。
【００４５】
容器本体１１の裏面両側には所定寸法凹陥した凹部１１Ｂが形成されており、スタンド３０を使用しないとき、スタンド３０は回動されて凹部１１Ｂ内に収納される。この状態で、容器本体１１の裏面側は略平面となる。また、容器本体１１を裏返しにして裏面側を上にし、スタンド３０を下方に回動した状態でスタンド３０は固定され、容器本体１１の上面は平面となる。これにより、図１０に示すように容器本体１１を裏返しにした場合に、容器本体１１が長手方向両側に揺れてしまうのを防止することができる。また、容器本体１１の裏面には当該容器本体１１内に温水や冷水を給水するための蓋１１Ｃが設けられている。
【００４６】
このように、容器本体１１を裏返しにした場合に容器本体１１が長手方向両側に揺れてしまうのを防止するためのスタンド３０を設けているので、湯たんぽ１０を裏返しにして両側のスタンド３０を立てれば、上面を水平に維持することができる。これにより、容器本体１１内に、例えば氷や水を入れれば水枕としても使用することができるので、発熱時などに頭を冷やすことができ、冬期だけに限らず一年中湯たんぽ１０を使用することができ、湯たんぽの利便性を大幅に向上することができる。
【実施例４】
【００４７】
次に、図１１には本発明の一実施例の湯たんぽ１０用収納袋３６を示している。この場合、湯たんぽ１０用収納袋３６は図１１に示すように前述の湯たんぽ１０を収納可能な大きさに形成されると共に、化繊や合成繊維、綿や混紡などの生地にて構成されている。収納袋３６の下面には電気ヒータ３８が設けられると共に、収納袋３６の長手方向一側には電気ヒータ３８及び後述するバイブレータ４２の制御を行うコントローラ４８が設けられている。この電気ヒータ３８は、収納袋３６内に湯たんぽ１０が収納された状態で容器本体１１の下面に当接し、コントローラ４８は、容器本体１１内の温水を加熱し所定の温度に維持する。
【００４８】
また、収納袋３６には収納袋３６より所定寸法凸出して周囲が熱伝導効率の良い金属から成るバイブレータ４２が設けられており、このバイブレータ４２の下面にはこれもまた熱伝導効率の良い円板状の鉄板４４が設けられると共に上面には永久磁石４６が設けられている。この永久磁石４６は、指圧効果が得られるようにバイブレータ４２の離間側を半球形状に形成してツボを刺激できるように構成されている。鉄板４４は、収納袋３６に形成された図示しない孔に固定され、収納袋３６内に露出して設けられている。これにより、永久磁石２０から鉄板４４に直接熱が伝わるように構成している。これらの鉄板４４及び永久磁石４６はカシメによってバイブレータ４２に固定されている。
【００４９】
そして、収納袋３６内に湯たんぽ１０が収納された状態で、バイブレータ４２は容器本体１１に設けた複数の突起部材１４に対応する位置にそれぞれ設けられている。該バイブレータ４２は、所定の振動数で身体をマッサージし疲れやこりを良好に回復するためのものである。そして、図１４に示すように永久磁石４６が容器本体１１側に付勢されると前述同様コイルバネ１８は収縮して永久磁石２０の上面は取付部１１Ａの上端に略面一になり、この状態でバイブレータ４２及び永久磁石４６が容器本体１１より突出する。この突出した永久磁石４６が身体に当接することにより、疲れやこりを回復することができるように構成している。
【００５０】
係る、コントローラ４８にて電気ヒータ３８を所定の温度に維持する技術、及び、バイブレータ４２を所定の振動数で振動させる技術については、従来より周知の技術であるため詳細な説明を省略する。また、収納袋３６には図示しないが湯たんぽ１０を収納するための収納口が設けられている。尚、収納袋３６には一般家庭で使用している商用交流電源に接続するための電源コード４０が設けられており、この電源コード４０はコントローラ４８を介して、バイブレータ４２及び電気ヒータ３８に接続されている。尚、コントローラ４８は電源コード４０の途中に設けても差し支えない。この場合、収納袋３６にコントローラ４８を取り付けていないので、湯たんぽ１０を使用する際コントローラ４８が邪魔にならず、湯たんぽ１０の使い勝手が良くなる。また、マッサージ機能付き湯たんぽ１０及び湯たんぽ１０用収納袋の大きさは、本発明の要旨を逸脱しない範囲で種々変更可能であることは言うまでもない。
【００５１】
そして、容器本体１１の上側に設けた突起部材１４を鉄板４４側に、容器本体１１の下面を電気ヒータ３８側に位置させた状態で、湯たんぽ１０を収納口から収納袋３６内に収納すると、図１１矢印で示すようにバイブレータ４２の下面に設けた鉄板４４は突起部材１４に設けた永久磁石２０に吸着する。これによって、バイブレータ４２は、図１３に示すように突起部材１４と一体に接続されると共に、電気ヒータ３８上面に容器本体１１の下面が当接する。
【００５２】
このように、収納袋３６には容器本体１１の下面が接する箇所に電気ヒータ３８を設けると共に、突起部材１４上面にバイブレータ４２を設けているので、湯たんぽ１０を収納袋３６に収納する以前に容器本体１１内に温水を入れれば、電気ヒータ３８やバイブレータ４２が濡れてしまうなどの不都合を防止することができる。これにより、電気ヒータ３８やバイブレータ４２を設けた湯たんぽ１０にて感電するなどの危険性を防止することができ、極めて安全にマッサージ機能付き湯たんぽ１０を使用することができる。
【００５３】
また、収納袋３６には容器本体１１の下面が接する箇所に電気ヒータ３８を設けているので、容器本体１１内に入れた温水を所定の温度に加熱することができ、容器本体１１内に入れた温水が冷えてしまうのを防止することができる。これにより、容器本体１１内に入れた温水を長時間所定の温度で維持することが可能となる。従って、冬期などの寒い時期でも湯たんぽ１０を使用中好適な温度を保つことができる。
【００５４】
また、収納袋３６には突起部材１４上面に着脱可能なバイブレータ４２を設けているので、容器本体１１内の温水によって身体を温めて血行を良好にしつつ、永久磁石２０の磁力線とバイブレータ４２によって身体のマッサージを行うことができる。これにより、容器本体１１内の温水とバイブレータ４２の作用とによって、より効果的に身体の健康促進を行うことができるようになる。
【００５５】
特に、突起部材１４の蛇腹カバー１６内部を容器本体１１内と連通させているので、容器本体１１内に入れた温水で熱伝導効率の良い永久磁石２０、鉄板４４、バイブレータ４２を介して永久磁石４６を温めることができる。温まった永久磁石４６が身体に当接すると、お灸のような効果を発揮することができ、永久磁石４６を皮膚に直接或いは肌着一枚を介して当てれば更にお灸効果を発揮することができる。これにより、更に効果的に疲れやこりを良好に回復することができ、身体の健康促進の向上を図ることが可能となる。尚、永久磁石４６を、弾性を有する弾性部材に構成してもよい。この場合、身体に弾性部材が当接するので突起部材１４の当たり心地をやわらげる効果がある。
【００５６】
尚、実施例ではマッサージ機能付き湯たんぽ１０に設けた突起部材１４の指圧効果やマッサージ効果で足裏や足首の健康回復や、健康促進を行うようにしたが、足裏や足首に限らず、ふくらはぎや膝の裏側或いは太もも、腕や肩などに湯たんぽ１０を当てて健康回復や、健康促進を行うようにしても本発明は有効である。
【００５７】
また、容器本体１１の大きさは、本発明の趣旨から外れない範囲で変更しても差し支えない。また、取付部１１Ａは、容器本体１１に一体に形成するか、或いは、別体に形成しても差し支えない。
【００５８】
また、マッサージ機能付き湯たんぽ１０の容器本体１１内に温水或いは氷や水を入れたが、容器本体１１内には温水或いは氷や水に限らず、ゲル状の熱媒体を入れても本発明は有効である。
【００５９】
また、湯たんぽ１０に突起部材１４や永久磁石２０、湯たんぽ１０の収納袋３６にバイブレータ４２や永久磁石４６などを設けたが、寒い時期の寝具の暖房として温水を使用せずに電気ヒータで温める所謂電気あんかに本発明の突起部材１４や永久磁石２０、湯たんぽ１０の収納袋３６にバイブレータ４２や永久磁石４６などを適用しても本発明は有効である。
【図面の簡単な説明】
【００６０】
【図１】本発明の一実施例を示す湯たんぽの斜視図である（実施例１）。
【図２】本発明の湯たんぽに設けた突起部材の斜視図である。
【図３】容器本体に設けた取付部に永久磁石が設けられたコイルバネを取り付ける状態を示す図である。
【図４】同図３の取付部内に取り付けられ永久磁石が設けられたコイルバネに蛇腹カバーを取り付ける状態を示す図である。
【図５】同図２の湯たんぽに設けた突起部材が押圧された状態を示す図である。
【図６】本発明の他の実施例を示す湯たんぽの斜視図である（実施例２）。
【図７】同図６の湯たんぽの側面図である。
【図８】同図７の要部拡大図である。
【図９】本発明の他の実施例を示す湯たんぽの使用状態を示す斜視図である（実施例３）。
【図１０】同図９の湯たんぽ不使用時の斜視図である。
【図１１】本発明の一実施例を示す湯たんぽ用収納袋の斜視図である（実施例４）。
【図１２】湯たんぽに設けた突起部材の永久磁石に収納袋に設けたバイブレータを吸着させる状態を示す図である。
【図１３】同図１２の突起部材の永久磁石に収納袋に設けたバイブレータを吸着させた状態を示す図である。
【図１４】同図１３の収納袋に設けたバイブレータが押圧された状態を示す図である。
【符号の説明】
【００６１】
１０  湯たんぽ
１１  容器本体
１３  押圧部
１４  突起部材
１４Ａ  外突起部材
１４Ｂ  内突起部材
１６  蛇腹カバー
１８  コイルバネ
２０  永久磁石
２２  上帯状弾性体
２４  下帯状弾性体
２６  突状体
２８  回転具
３０  スタンド
３６  収納袋
３８  電気ヒータ
４０  電源コード
４２  バイブレータ
４６  永久磁石
４８  コントローラ
【図１】
2005296378.tif 000003
【図２】
2005296378.tif 000004
【図３】
2005296378.tif 000005
【図４】
2005296378.tif 000006
【図５】
2005296378.tif 000007
【図６】
2005296378.tif 000008
【図７】
2005296378.tif 000009
【図８】
2005296378.tif 000010
【図９】
2005296378.tif 000011
【図１０】
2005296378.tif 000012
【図１１】
2005296378.tif 000013
【図１２】
2005296378.tif 000014
【図１３】
2005296378.tif 000015
【図１４】
2005296378.tif 000016